(57)【要約】【課題】給紙装置を提供する。【解決手段】給紙装置１００は、記録媒体Ｐを収容する。給紙装置１００は、載置部１２０と、変更部１４０とを備える。載置部１２０は、記録媒体Ｐを載置する。載置部１２０は、第１端部１２１と第２端部１２２とを有する。変更部１４０は、載置部１２０の姿勢を変更する。変更部１４０は、載置部１２０の姿勢を第１姿勢と第２姿勢との間で変更する。第１姿勢は、第２端部１２２が第１端部１２１よりも高くなる姿勢である。第２姿勢は、第１姿勢と異なる。【選択図】図１
2020007141.tif 000002
【特許請求の範囲】
【請求項１】
記録媒体を収容する給紙装置において、
前記記録媒体を載置する載置部と、
前記載置部の姿勢を変更する変更部と
を備え、
前記載置部は、第１端部と第２端部とを有し、
前記変更部は、前記載置部の姿勢を第１姿勢と第２姿勢との間で変更し、
前記第１姿勢は、前記第２端部が前記第１端部よりも高くなる姿勢であり、
前記第２姿勢は、前記第１姿勢と異なる、給紙装置。
【請求項２】
前記変更部は、前記載置部を支持する支持部をさらに備え、
前記支持部は、前記第１端部から前記第２端部までの間に配置される、請求項１に記載の給紙装置。
【請求項３】
前記記録媒体の移動を規制する規制部材をさらに備え、
前記規制部材は、前記載置部の姿勢に応じて、第１状態と第２状態とに変更され、
前記第１状態は、前記記録媒体の移動が可能であり、
前記第２状態は、前記第１状態と異なる、請求項１または請求項２に記載の給紙装置。
【請求項４】
前記載置部が前記第１姿勢の場合、前記規制部材は前記第１状態であり、
前記載置部が前記第２姿勢の場合、前記規制部材は前記第２状態である、請求項３に記載の給紙装置。
【請求項５】
請求項１から請求項４のいずれか１項に記載の前記給紙装置と、
前記記録媒体に画像を形成する画像形成部と、
を備える、画像形成装置。
【請求項６】
前記給紙装置は、移動機構をさらに備え、
前記移動機構は、前記給紙装置を第１位置と第２位置との間で移動させ、
前記第１位置は、前記給紙装置が画像形成装置から露出する位置であり、
前記第２位置は、前記第１位置と異なる、請求項５に記載の画像形成装置。
【請求項７】
前記第１位置に前記給紙装置が移動した場合、前記変更部は前記載置部の姿勢を前記第１姿勢に変更し、
前記第２位置に前記給紙装置が移動した場合、前記変更部は前記載置部の姿勢を前記第２姿勢に変更する、請求項６に記載の画像形成装置。
【請求項８】
前記移動機構は、センサーを備え、
前記変更部は、前記センサーの検出結果に基づいて、前記載置部の姿勢を変更する、請求項６または請求項７に記載の画像形成装置。
【発明の詳細な説明】
【技術分野】
【０００１】
本発明は、給紙装置及び画像形成装置に関する。
【背景技術】
【０００２】
従来、記録媒体が載置された給紙カセットを引き出して記録媒体を補給する給紙装置が知られている。このような給紙装置として、特許文献１に記載の給紙装置がある。特許文献１に記載の給紙装置は、挿脱機構を備える。挿脱機構は、レール部を備える。給紙カセットは、レール部に沿って移動する。特許文献１に記載の給紙装置によれば、給紙カセットを引き出す方向と収納する方向に移動できる。
【先行技術文献】
【特許文献】
【０００３】
【特許文献１】特開２００５−１３２５３１号公報
【発明の概要】
【発明が解決しようとする課題】
【０００４】
しかしながら、特許文献１に記載の給紙装置では、記録媒体を給紙装置に挿入する際、重力が作用する方向に記録媒体が垂下する。記録媒体は、垂下したまま給紙装置に挿入されるため、記録媒体が折れ曲がる。この結果、折れ曲がった状態の記録媒体が載置部に載置される。したがって、記録媒体の補給時に記録媒体が折れ曲がることを抑制できなかった。
【０００５】
本発明は上記課題に鑑みてなされたものであり、記録媒体の補給時に記録媒体が折れ曲がることを抑制できる給紙装置及び画像形成装置を提供することを目的とする。
【課題を解決するための手段】
【０００６】
本発明の一局面に係る給紙装置は、記録媒体を収容する。前記給紙装置は、載置部と、変更部とを備える。前記載置部は、前記記録媒体を載置する。前記載置部は、第１端部と第２端部とを有する。前記変更部は、前記載置部の姿勢を変更する。前記変更部は、前記載置部の姿勢を第１姿勢と第２姿勢との間で変更する。前記第１姿勢は、前記第２端部が前記第１端部よりも高くなる姿勢である。前記第２姿勢は、前記第１姿勢と異なる。
【０００７】
本発明の一局面に係る画像形成装置は、前記給紙装置と、画像形成部とを備える。前記画像形成部は、前記記録媒体に画像を形成する。
【発明の効果】
【０００８】
本発明の給紙装置によれば、記録媒体の補給時に記録媒体が折れ曲がることを抑制できる。
【図面の簡単な説明】
【０００９】
【図１】本発明の実施形態に係る給紙装置を備える画像形成装置を示す図である。
【図２】給紙装置が画像形成装置の内部に収容された状態を示す図である。
【図３】給紙装置が画像形成装置の外部に露出した状態を示す図である。
【発明を実施するための形態】
【００１０】
以下、本発明の実施形態について、図面を参照しながら説明する。なお、図中、同一または相当部分については同一の参照符号を付して説明を繰り返さない。
【００１１】
まず、図１を参照して、本実施形態に係る給紙装置１００を備える画像形成装置１０について説明する。図１は、本実施形態に係る給紙装置１００を備える画像形成装置１０の構成を示す図である。図１に示すように、画像形成装置１０は、複合機である。画像形成装置１０は、スキャナー、複写機、プリンター、及び、ファクシミリの各機能を有する。
【００１２】
画像形成装置１０は、画像形成ユニット１と、画像読取ユニット２と、原稿搬送ユニット３と、操作パネル４と、給紙装置１００と、制御部５とを備える。
【００１３】
画像形成ユニット１は、記録媒体Ｐに画像を形成する。画像読取ユニット２は、原稿上に形成された画像を読み取る。原稿搬送ユニット３は、読み取り対象の原稿を搬送する。操作パネル４は、ユーザーからの操作を受け付ける。操作パネル４は、タッチパネル４１を備える。給紙装置１００は、記録媒体Ｐを収容する。制御部５は、画像形成装置１０の動作を制御する。
【００１４】
画像形成ユニット１は、搬送ローラー対１３と、レジストローラー対１４と、画像形成部１５と、定着装置１６と、排出ローラー対１７と、排出トレイ１８とを備える。
【００１５】
画像形成部１５は、給紙装置１００から搬送されてきた記録媒体Ｐに画像を形成する。画像形成部１５は、感光体ドラム１５１と、帯電部１５２と、露光部１５３と、現像部１５４と、転写ローラー１５５と、クリーニング部１５６とを備える。感光体ドラム１５１は、円筒形の回転体であり、その周面には、静電潜像が形成される。帯電部１５２は、感光体ドラム１５１を所定の電位に帯電させる。露光部１５３は、画像データに基づきレーザー光を照射して感光体ドラム１５１を露光させる。感光体ドラム１５１を露光させることで、画像データに応じた静電潜像を感光体ドラム１５１に形成する。なお、画像データは、例えば、画像読取ユニット２が原稿を読み取って生成される。
【００１６】
現像部１５４は、感光体ドラム１５１にトナー像を形成する。具体的には、現像部１５４は、感光体ドラム１５１に形成された静電潜像にトナーを供給して現像し、感光体ドラム１５１にトナー像を形成する。転写ローラー１５５は、感光体ドラム１５１のトナー像を記録媒体Ｐに転写する。クリーニング部１５６は、転写後に感光体ドラム１５１に残留している残留トナーを除去する。画像形成部１５によって画像が形成された記録媒体Ｐは、定着装置１６まで搬送される。
【００１７】
定着装置１６は、画像を記録媒体Ｐに定着させる。定着装置１６は、加熱ローラーと、加圧ローラーとを備える。加熱ローラーは、発熱体を内蔵する。加熱ローラー及び加圧ローラーは、双方が圧接されることによって、定着ニップ部を形成する。記録媒体Ｐが定着ニップ部を通過することによって、記録媒体Ｐの表面に付着したトナーが加熱される。加熱されたトナーは、溶融する。この結果、トナー像が記録媒体Ｐに定着される。トナー像が定着された記録媒体Ｐは、排出ローラー対１７によって排出トレイ１８へ排出される。
【００１８】
給紙装置１００は、記録媒体Ｐを収容する。給紙装置１００は、ピックアップローラー１２を備える。ピックアップローラー１２は、記録媒体Ｐを１枚ずつ繰り出す。ピックアップローラー１２によって繰り出された記録媒体Ｐは、搬送ローラー対１３とレジストローラー対１４とによって画像形成部１５まで搬送される。
【００１９】
制御部５は、制御プログラムを実行する。制御部５は、ＣＰＵ（Ｃｅｎｔｒａｌ  Ｐｒｏｃｅｓｓｉｎｇ  Ｕｎｉｔ）のようなプロセッサーによって構成される。制御部５は、画像形成装置１０を動作させる集積回路を備える。制御部５の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。制御部５のプロセッサーは、制御プログラムを実行して、画像形成ユニット１と画像読取ユニット２と原稿搬送ユニット３と操作パネル４と給紙装置１００とを制御する。
【００２０】
次に、図２と図３とを参照して、給紙装置１００の構成について説明する。図２は、給紙装置１００が画像形成装置１０の内部に収容された状態を示す図である。図３は、給紙装置１００が画像形成装置１０の外部に露出した状態を示す図である。
【００２１】
給紙装置１００は、フレーム１５０と、載置部１２０と、変更部１４０とを備える。フレーム１５０は、載置部１２０と、変更部１４０とを収容する。フレーム１５０は、底部と、底部から立設された側壁とを備える。
【００２２】
載置部１２０は、記録媒体Ｐを載置する。載置部１２０は、第１端部１２１と第２端部１２２とを備える。第１端部１２１は、給紙方向の下流側の端部である。第１端部１２１は、ピックアップローラー１２側の端部である。第２端部１２２は、給紙方向の上流側の端部である。
【００２３】
変更部１４０は、載置部１２０の姿勢を変更する。
【００２４】
変更部１４０は、支持部１３０と、モーターＭと、基部１４１と、シャフト１４２とを備える。
【００２５】
支持部１３０は、載置部１２０を支持する。支持部１３０は、載置部１２０の記録媒体Ｐが積載される面と反対側の面とを支持する。支持部１３０は、第１端部１２１と第２端部１２２との間に配置される。また、支持部１３０は、載置部１２０とフレーム１５０の底部との間に配置される。支持部１３０は、載置部１２０がフレーム１５０の底部から所定距離離間するように、載置部１２０を支持する。
【００２６】
支持部１３０は、支持軸１３１と、第１固定部１３３と、第２固定部１３４とを備える。支持軸１３１は、所定の長さの軸である。支持軸１３１は、一端と他端とを備える。一端には、第１固定部１３３が取り付けられる。他端には、第２固定部１３４が取り付けられる。
【００２７】
第１固定部１３３は、支持軸１３１の一端をフレーム１５０に固定する。第１固定部１３３は、第１連結軸１３５を備える。第１連結軸１３５は、支持軸１３１とフレーム１５０とを連結させる。第１連結軸１３５は、支持軸１３１を揺動可能に連結する。この結果、第１連結軸１３５によって連結された支持軸１３１は、方向Ｄに揺動する。方向Ｄは、水平方向を示す。方向Ｄは、方向Ｄ１と方向Ｄ２とを含む。方向Ｄ１は、左方向である。方向Ｄ２は、右方向である。第１連結軸１３５が支持軸１３１を揺動可能に支持するため、載置部１２０の姿勢に応じて、支持軸１３１が方向Ｄ１と方向Ｄ２と内のいずれかの方向に揺動する。
【００２８】
第２固定部１３４は、支持軸１３１の他端を載置部１２０に固定する。第２固定部１３４は、第２連結軸１３６を備える。第２連結軸１３６は、支持軸１３１と載置部１２０とを連結する。第２連結軸１３６は、載置部１２０を揺動可能に連結する。この結果、第２連結軸１３６によって連結された載置部１２０は、第２連結軸１３６を中心に回動する。
【００２９】
モーターＭは、駆動力を発生させる。基部１４１は、シャフト１４２を収容する。基部１４１は、ギア（不図示）を備える。ギアは、モーターＭからの駆動力を伝達する。
【００３０】
シャフト１４２は、方向Ｖに移動する。方向Ｖは、鉛直方向を示す。方向Ｖは、方向Ｖ１と方向Ｖ２とを含む。方向Ｖ１は、下方向である。方向Ｖ２は、上方向である。シャフト１４２は、一端と他端とを備える。
【００３１】
シャフト１４２の一端は、複数の溝（不図示）を備える。複数の溝は、ギアと噛み合う。この結果、モーターＭの駆動力がギアを介してシャフト１４２に伝達される。モーターＭの回転方向によって、シャフト１４２の移動方向が決定される。例えば、モーターＭが正方向に回転する場合、シャフト１４２は方向Ｖ２側へ移動する。モーターＭが負方向に回転する場合、シャフト１４２は方向Ｖ１側へ移動する。
【００３２】
シャフト１４２の他端は、載置部１２０に取付けられる。具体的には、シャフト１４２の他端は、載置部１２０の第１端部１２１側または載置部１２０の第２端部１２２側のいずれかに取付けられる。例えば、シャフト１４２の他端は、図２に示すように、載置部１２０の第１端部１２１側に取付けられる。
【００３３】
図２に示すように、シャフト１４２が方向Ｖ２側へ移動する場合、シャフト１４２は第１端部１２１を方向Ｖ２側へ押圧する。この結果、第１端部１２１は、方向Ｖ２側へ移動する。
【００３４】
シャフト１４２が方向Ｖ２側へ移動する場合、載置部１２０は第２姿勢になる。第２姿勢は、載置部１２０の第２端部１２２が載置部１２０の第１端部１２１よりも低くなる姿勢である。
【００３５】
載置部１２０を第２姿勢とする場合、変更部１４０はシャフト１４２を方向Ｖ２側へ移動させる。具体的には、変更部１４０は、第１端部１２１の位置が第２連結軸１３６の位置よりも高くなるまで、シャフト１４２を方向Ｖ２側へ移動させる。第１端部１２１が方向Ｖ２側に向かって移動することで、載置部１２０が第２連結軸１３６を中心に回動し、第２端部１２２が方向Ｖ１側に向かって移動する。第１端部１２１の位置が第２連結軸１３６の位置よりも高くなるので、第２端部１２２が第１端部１２１よりも低くなる。この結果、載置部１２０の姿勢が第２姿勢となる。
【００３６】
図３に示すように、シャフト１４２が方向Ｖ１側へ移動する場合、シャフト１４２は第１端部１２１を方向Ｖ１側へ引っ張る。この結果、第１端部１２１は、方向Ｖ１側へ移動する。
【００３７】
シャフト１４２が方向Ｖ１側へ移動する場合、載置部１２０は第１姿勢になる。第１姿勢は、載置部１２０の第２端部１２２が載置部１２０の第１端部１２１よりも高くなる姿勢である。
【００３８】
載置部１２０を第１姿勢とする場合、変更部１４０はシャフト１４２を方向Ｖ１側へ移動させる。具体的には、変更部１４０は、第１端部１２１の位置が第２連結軸１３６の位置よりも低くなるまで、シャフト１４２を方向Ｖ１側へ移動させる。第１端部１２１が方向Ｖ１側に向かって移動することで、載置部１２０が第２連結軸１３６を中心に回動し、第２端部１２２が方向Ｖ２側に向かって移動する。第１端部１２１の位置が第２連結軸１３６の位置よりも低くなるので、第２端部１２２が第１端部１２１よりも高くなる。この結果、載置部１２０の姿勢が第１姿勢となる。
【００３９】
図２と図３とを参照して、載置部１２０について詳しく説明する。載置部１２０は、複数の孔と、複数の規制部材とを備える。
【００４０】
孔は、方向Ｖに貫通する。孔は、所定間隔を空けて配置される。孔は、載置部１２０に３つ配置される。孔は、第１孔１２３と第２孔１２４と第３孔１２５とを含む。第１孔１２３は、第２端部１２２側に配置される。第３孔１２５は、第２連結軸１３６側に配置される。第２孔１２４は、第１孔１２３と第３孔１２５との間に配置される。
【００４１】
複数の規制部材は、第１規制部材１２７と、第２規制部材１２８と、第３規制部材１２９とを含む。
【００４２】
第１規制部材１２７は、載置部１２０に載置された記録媒体Ｐの端部を揃える。第１規制部材１２７は、給紙方向の上流側にある記録媒体Ｐの端部を揃える。第１規制部材１２７は、第２端部１２２側に配置される。
【００４３】
第１規制部材１２７は、挿入部１２７ａと、脱落防止部１２７ｂとを備える。挿入部１２７ａは、第１孔１２３と第２孔１２４と第３孔１２５との内のいずれか１つに挿通される。挿入部１２７ａを挿通させる孔を変更することで、第１規制部材１２７の位置を変更できる。例えば、記録媒体Ｐの端部が第３孔１２５の近傍に位置する場合、挿入部１２７ａを第３孔１２５に挿通させる。この結果、記録媒体Ｐのサイズに合わせて、第１規制部材１２７の位置を変更できる。
【００４４】
脱落防止部１２７ｂは、第１規制部材１２７が孔から脱落することを防止する。脱落防止部１２７ｂは、孔よりも大きい。このため、第１規制部材１２７が孔から抜け落ちない。
【００４５】
第１規制部材１２７は、載置部１２０の姿勢に応じて、状態が変更される。
【００４６】
図２に示すように、載置部１２０が第２姿勢の場合、第１規制部材１２７は第２状態となる。第１規制部材１２７の第２状態は、載置部１２０に載置された記録媒体Ｐが方向Ｄ２に移動しない状態である。第２状態となった第１規制部材１２７は、図２に示すように、脱落防止部１２７ｂが載置部１２０から離間し、挿入部１２７ａの一部が載置部１２０から方向Ｖ２に向かって突出した状態となる。具体的には、挿入部１２７ａがフレーム１５０に当接した状態で、第２端部１２２が方向Ｖ１へ移動するため、脱落防止部１２７ｂが載置部１２０から離間し、挿入部１２７ａの一部が載置部１２０から方向Ｖ２に向かって突出した状態となる。載置部１２０から突出した挿入部１２７ａは、記録媒体Ｐと当接する。この結果、第１規制部材１２７は、記録媒体Ｐが方向Ｄ２へ移動することを抑制できる。また、挿入部１２７ａと記録媒体Ｐとが当接することで、方向Ｄ２側の記録媒体Ｐの端部が揃えられる。
【００４７】
図３に示すように、載置部１２０が第１姿勢の場合、第１規制部材１２７は第１状態となる。第１規制部材１２７の第１状態は、載置部１２０に載置された記録媒体Ｐが方向Ｄ２に移動が可能な状態である。第１状態となった第１規制部材１２７は、図３に示すように、載置部１２０から垂下する。具体的には、脱落防止部１２７ｂが載置部１２０と接触した状態で、方向Ｖ２へ移動する第２端部１２２と共に移動するため、挿入部１２７ａがフレーム１５０から離間する。この結果、第１規制部材１２７が、載置部１２０から垂下する。第１規制部材１２７が、載置部１２０から垂下することで、挿入部１２７ａが載置部１２０から方向Ｖ２に向かって突出しない。したがって、挿入部１２７ａは、記録媒体Ｐと当接しない。このため、第１規制部材１２７は、記録媒体Ｐの方向Ｄ２へ移動を抑制しない。
【００４８】
第２規制部材１２８は、載置部１２０に載置された記録媒体Ｐの端部を揃える。第２規制部材１２８は、給紙方向の下流側にある記録媒体Ｐの端部を揃える。第２規制部材１２８は、第１端部１２１側に配置される。第２規制部材１２８は、回転軸１２８ａとモーター（不図示）とを備える。回転軸１２８ａは、第２規制部材１２８を回転可能に支持する。モーターは、回転軸１２８ａを回転させる。
【００４９】
第２規制部材１２８は、載置部１２０の姿勢に応じて、第１状態と第２状態とに変更される。
【００５０】
図２に示すように、載置部１２０が第２姿勢の場合、第２規制部材１２８は第１状態となる。第２規制部材１２８の第１状態は、載置部１２０に載置された記録媒体Ｐが方向Ｄ１に移動が可能な状態である。第１状態となった第２規制部材１２８は、図２に示すように、載置部１２０と当接しない。具体的には、第２規制部材１２８の側面と載置部１２０の側面とが離間する。この結果、第２規制部材１２８は、記録媒体Ｐの方向Ｄ１の移動を阻害しない。
【００５１】
図３に示すように、載置部１２０が第１姿勢の場合、第２規制部材１２８は第２状態となる。第２規制部材１２８の第２状態は、載置部１２０に載置された記録媒体Ｐが方向Ｄ１に移動しない状態である。第２状態となった第２規制部材１２８は、図３に示すように、載置部１２０と当接する。具体的には、第２規制部材１２８の側面と載置部１２０の側面とが接触し、第２規制部材１２８の角度が変更される。例えば、第２規制部材１２８の側面と載置部１２０の側面とが接触した場合、載置部１２０と第２規制部材１２８との角度は９０°となる。この結果、第２規制部材１２８は、記録媒体Ｐの方向Ｄ１の移動を規制する。また、第２規制部材１２８と記録媒体Ｐとが当接することで、方向Ｄ１側にある記録媒体Ｐの端部が揃えられる。
【００５２】
第３規制部材１２９は、載置部１２０に載置された記録媒体Ｐの幅方向の端部を揃える。第３規制部材１２９は、載置部１２０から方向Ｖ２に向かって突出する。第３規制部材１２９は、載置部１２０の幅方向に対で配置される。第３規制部材１２９は、図略の案内レールに沿って記録媒体Ｐの幅方向に移動できる。第３規制部材１２９は、積載される記録媒体Ｐの幅に合わせて移動させることによって、記録媒体Ｐの幅方向の端部を揃える。
【００５３】
次に図２と図３とを参照して、給紙装置１００をさらに詳しく説明する。給紙装置１００は、移動機構１６０をさらに備える。移動機構１６０は、給紙装置１００を移動させる。具体的には、移動機構１６０は、給紙装置１００を第１位置と第２位置との間で移動させる。第１位置は、給紙装置１００が画像形成装置１０から露出する位置である。第１位置は、例えば、図３に示す給紙装置１００の位置である。第２位置は、給紙装置１００が画像形成装置１０から露出しない位置である。第２位置は、例えば、図２に示す給紙装置１００の位置である。
【００５４】
移動機構１６０は、ガイドレール１６１と、センサーＳとを備える。
【００５５】
ガイドレール１６１は、給紙装置１００を案内する。ガイドレール１６１は、給紙装置１００を第１位置と第２位置とに案内する。第１位置は、例えば、図３に示す給紙装置１００の位置である。図３に示す給紙装置１００の位置は、給紙装置１００の一部が画像形成装置１０の外部に露出する位置である。第２位置は、例えば、図２に示す給紙装置１００の位置である。図２に示す給紙装置１００の位置は、給紙装置１００が画像形成装置１０の内部に収容される位置である。
【００５６】
ガイドレール１６１は、給紙装置１００の下方の端部に配置される。ガイドレール１６１は、第１ガイド１６１ａと、第２ガイド１６１ｂと、ローラー１６２とを備える。
【００５７】
第１ガイド１６１ａは、給紙装置１００に取付けられる。第１ガイド１６１ａは、Ｕ字状である。第１ガイド１６１ａは、Ｕ字状の開口部分が方向Ｖ１を向くように、給紙装置１００に取付けられる。
【００５８】
第２ガイド１６１ｂは、画像形成装置１０に取付けられる。第２ガイド１６１ｂは、Ｕ字状である。第２ガイド１６１ｂは、Ｕ字状の開口部分が方向Ｖ２を向くように、画像形成装置１０に取付けられる。なお、第２ガイド１６１ｂの開口部分は、第１ガイド１６１ａの開口部分と対向する。この結果、第１ガイド１６１ａと第２ガイド１６１ｂとによって、空間が形成される。
【００５９】
ローラー１６２は、ガイドレール１６１に沿って転動する。ローラー１６２は、第１ガイド１６１ａと第２ガイド１６１ｂとの間に配置される。具体的には、第１ガイド１６１ａと第２ガイド１６１ｂとによって形成された空間にローラー１６２が配置される。この結果、ローラー１６２がガイドレール１６１に沿って転動できる。ローラー１６２が転動するため、第１ガイド１６１ａを第２ガイド１６１ｂに沿って移動させることが容易となる。
【００６０】
センサーＳは、給紙装置１００の位置を検出する。センサーＳは、給紙装置１００の下方に配置される。センサーＳの検出結果は、制御部５に送信される。
【００６１】
センサーＳは、光学センサーである。センサーＳは、発光素子Ｓ１と受光素子Ｓ２とを備える。発光素子Ｓ１は、光を発射する。受光素子Ｓ２は、発光素子Ｓ１から発射された光を受光する。
【００６２】
受光素子Ｓ２が発光素子Ｓ１から発射された光を受光する場合、センサーＳはＯＮ状態となる。センサーＳがＯＮ状態となる場合、給紙装置１００の位置は、第２位置である。受光素子Ｓ２が、発光素子Ｓ１から発射された光を受光しない場合、センサーＳはＯＦＦ状態となる。センサーＳがＯＦＦ状態となる場合、給紙装置１００の位置は、第１位置である。なお、センサーＳは、光学センサーに限らない。センサーＳは、例えば、ホール素子であってもよい。
【００６３】
次に図１から図３を参照して、第１位置に移動したときの給紙装置１００について詳しく説明する。移動機構１６０は、図２に示す給紙装置１００の位置から図３に示す給紙装置１００の位置まで、給紙装置１００を移動させる。給紙装置１００が移動する場合、給紙装置１００はガイドレール１６１に案内される。給紙装置１００は、ガイドレール１６１によって、第２位置から第１位置に案内される。図３に示すように、給紙装置１００が第１位置に移動する場合、給紙装置１００の一部が画像形成装置１０から露出する。
【００６４】
第１位置に給紙装置１００が移動すると、センサーＳがＯＮ状態からＯＦＦ状態となる。変更部１４０は、センサーＳの検出結果に基づいて、載置部１２０の姿勢を変更する。センサーＳがＯＦＦ状態となった場合、変更部１４０は、載置部１２０の姿勢を図２に示す第２姿勢から、図３に示す第１姿勢に変更する。
【００６５】
載置部１２０の姿勢を第１姿勢に変更する場合、制御部５は、変更部１４０のモーターＭを制御する。制御部５は、モーターＭを負方向に回転させて、シャフト１４２をＶ１方向に移動させる。Ｖ１方向に移動するシャフト１４２は、第１端部１２１を方向Ｖ１に引っ張る。第１端部１２１が方向Ｖ１側に向かって移動することで、載置部１２０が第２連結軸１３６を中心に回動し、第２端部１２２が方向Ｖ２側に向かって移動する。第１端部１２１が第２連結軸１３６の位置よりも低い位置まで移動することで、第２端部１２２が第２連結軸１３６の位置よりも高い位置まで移動する。この結果、第２端部１２２が第１端部１２１よりも高くなり、載置部１２０の姿勢が第１姿勢となる。
【００６６】
図３に示すように、給紙装置１００が第１位置に移動した場合、記録媒体Ｐを給紙装置１００に補給できる。給紙装置１００が第１位置に移動した際に、第２端部１２２側が上昇するため、記録媒体Ｐを載置部１２０の傾斜に沿わして、記録媒体Ｐを給紙装置１００に補給できる。記録媒体Ｐを載置部１２０の傾斜に沿わせるため、記録媒体Ｐの端部が垂下することを抑制できる。記録媒体Ｐの端部が垂下することを抑制できるため、記録媒体Ｐの補給時に記録媒体Ｐが折れ曲がることを抑制できる。
【００６７】
また、第２端部１２２の方向Ｖ２側への移動に伴って、第１規制部材１２７は、図２に示す第１規制部材１２７の位置から図３に示す第１規制部材１２７の位置に移動する。第２端部１２２が方向Ｖ２側に移動することで、第１規制部材１２７の脱落防止部１２７ｂは、載置部１２０と当接する。載置部１２０と当接した第１規制部材１２７は、方向Ｖ２側へ移動する。第１規制部材１２７が方向Ｖ２側へ移動することで、挿入部１２７ａがフレーム１５０から離間する。この結果、図３に示すように、第１規制部材１２７が第１状態となる。第１規制部材１２７が第１状態となるため、記録媒体Ｐの方向Ｄへの移動が可能となる。また、第１規制部材１２７が第１状態となるため、第２端部１２２側から記録媒体Ｐの補給が容易となる。
【００６８】
また、第２端部１２２の方向Ｖ２側への移動に伴って、第１端部１２１が方向Ｖ１に移動する。第１端部１２１が方向Ｖ１に移動することで、図３に示すように、載置部１２０の側面と第２規制部材１２８の側面とが当接する。第２規制部材１２８は、載置部１２０と当接することで、第２規制部材１２８と載置部１２０との角度が９０°となる。載置部１２０と第２規制部材１２８とが当接することで、第２規制部材１２８は、第２状態となる。この結果、第２規制部材１２８は、図３に示すように、補給された記録媒体Ｐの方向Ｄ１の移動を規制できる。第２規制部材１２８は、補給された記録媒体Ｐがピックアップローラー１２の位置で記録媒体Ｐの方向Ｄ１の移動を規制する。第２規制部材１２８は、ピックアップローラー１２の位置で記録媒体Ｐの端部を揃えることができる。
【００６９】
次に図１から図３を参照して、第２位置に移動したときの給紙装置１００について詳しく説明する。移動機構１６０は、図３に示す給紙装置１００の位置から図２に示す給紙装置１００の位置まで、給紙装置１００を移動させる。給紙装置１００が移動する場合、給紙装置１００はガイドレール１６１に案内される。給紙装置１００は、ガイドレール１６１によって、第１位置から第２位置に案内される。図２に示すように、給紙装置１００が第２位置に移動する場合、給紙装置１００が画像形成装置１０の内側に収容される。
【００７０】
第２位置に給紙装置１００が移動すると、センサーＳがＯＦＦ状態からＯＮ状態に変更される。変更部１４０は、センサーＳの検出結果に基づいて、載置部１２０の姿勢を変更する。センサーＳがＯＮ状態となった場合、変更部１４０は、載置部１２０の姿勢を、図３に示す第１姿勢から図２に示す第２姿勢に変更する。
【００７１】
図２に示すように、載置部１２０の姿勢を第２姿勢に変更する場合、制御部５は、変更部１４０のモーターＭを制御する。制御部５は、モーターＭを正方向に回転させて、シャフト１４２をＶ２方向に移動させる。Ｖ２方向に移動するシャフト１４２は、第１端部１２１を方向Ｖ２に押圧する。第１端部１２１が方向Ｖ２側に向かって移動することで、載置部１２０が第２連結軸１３６を中心に回動し、第２端部１２２が方向Ｖ１側に向かって移動する。第１端部１２１が第２連結軸１３６の位置よりも高い位置まで移動することで、第２端部１２２が第２連結軸１３６の位置よりも低い位置まで移動する。この結果、第２端部１２２が第１端部１２１よりも低くなり、載置部１２０の姿勢が第２姿勢となる。
【００７２】
また、第２端部１２２の方向Ｖ１側への移動に伴って、第１規制部材１２７は、図３に示す第１規制部材１２７の位置から図２に示す第１規制部材１２７の位置に移動する。第２端部１２２が方向Ｖ１側へ移動することで、第１規制部材１２７の挿入部１２７ａがフレーム１５０と当接する。フレーム１５０と当接した第１規制部材１２７は、方向Ｖ１側への移動を停止する。第２端部１２２は、さらに方向Ｖ１側へ移動する。第２端部１２２が方向Ｖ１側に移動することで、第１規制部材１２７の脱落防止部１２７ｂと載置部１２０とが離間する。この結果、図２に示すように、第１規制部材１２７が第２状態となる。記録媒体Ｐは、方向Ｄ２側へ移動しない状態となる。
【００７３】
また、第１端部１２１が方向Ｖ２に移動することで、載置部１２０の側面と第２規制部材１２８の側面とが離間する。第２規制部材１２８は、載置部１２０と離間することで、第２規制部材１２８が第１状態となる。この結果、第２規制部材１２８は、補給された記録媒体Ｐの方向Ｄ１の移動を規制しない。
【００７４】
以上、図面（図１〜図３）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００７５】
本発明は、給紙装置及び画像形成装置の分野に利用可能である。
【符号の説明】
【００７６】
１０      画像形成装置
１５      画像形成部
１００    給紙装置
１２０    載置部
１２１    第１端部
１２２    第２端部
１２７    第１規制部材
１２８    第２規制部材
１４０    変更部
１６０    移動機構
Ｐ        記録媒体
Ｓ        センサー
【図１】
2020007141.tif 000003
【図２】
2020007141.tif 000004
【図３】
2020007141.tif 000005